(57)【要約】【課題】画像データを選び出す手間を大幅に省くことが可能な画像データ処理装置、および画像データ処理プログラムを提供する。【解決手段】写真プリント装置１において、受付端末機２は、画像データが保存されているフォルダがＤＣＦ規格に対応しているか否かを判定する判定部２２と、判定部２２においてＤＣＦ規格に対応していないと判定された画像データを選び出す選択部２３と、を備えている。【選択図】図２
2008027152.tif 000002
【特許請求の範囲】
【請求項１】
画像データを選び出すための処理を行なう画像データ処理装置であって、
前記画像データが保存されているディレクトリがＤＣＦ規格に対応しているか否かを判定する判定部と、
前記判定部において、前記ディレクトリが前記ＤＣＦ規格に対応していないと判定された前記画像データを選択する選択部と、
を備えている画像データ処理装置。
【請求項２】
前記判定部は、前記画像データを保存している前記ディレクトリが前記ＤＣＦ規格に対応している前記画像データに対して、前記画像データが保存されている前記ディレクトリに関する第１関連情報と前記画像データが格納されているＥｘｉｆデータに関する第２関連情報とを比較して所定の対応関係にあるか否かをさらに判定し、
前記選択部は、前記判定部において前記第１関連情報と前記第２関連情報とが前記所定の対応関係にないと判定された前記画像データをさらに選択する、
請求項１に記載の画像データ処理装置。
【請求項３】
前記判定部は、前記画像データを保存している前記ディレクトリが前記ＤＣＦ規格に対応している前記画像データに対して、前記画像データの形式が所定の形式であるか否かをさらに判定し、
前記選択部は、前記判定部において前記所定の形式ではないと判定された前記画像データをさらに選択する、
請求項１または２に記載の画像データ処理装置。
【請求項４】
前記第１関連情報は、前記画像データが保存されている前記ディレクトリのディレクトリ名であり、
前記第２関連情報は、前記画像データが格納されている前記Ｅｘｉｆデータのタグ情報である、
請求項２に記載の画像データ処理装置。
【請求項５】
画像データを選択するための処理を行なう画像データ処理装置であって、
前記画像データが所定の形式の画像データであるか否かを判定する判定部と、
前記判定部において、前記所定の形式の画像データではないと判定された前記画像データを選択する選択部と、
を備えている画像データ処理装置。
【請求項６】
前記選択部によって選択された前記画像データを表示する表示部をさらに備えている、
請求項１から５のいずれか１項に記載の画像データ処理装置。
【請求項７】
画像データを選び出すための処理を行なう画像データ処理プログラムであって、
前記画像データが保存されているディレクトリがＤＣＦ規格に対応しているか否かを判定する第１のステップと、
前記第１のステップにおいて、前記ディレクトリが前記ＤＣＦ規格に対応していないと判定された前記画像データを選択する第２のステップと、
を備えた画像データの選択方法をコンピュータに実行させる画像データ処理プログラム。
【発明の詳細な説明】
【技術分野】
【０００１】
本発明は、画像データを選び出すための処理を行なう画像データ処理装置および画像データ処理プログラムに関する。
【背景技術】
【０００２】
一般に、例えば、ユーザがデジタルカメラによって撮影した画像データを編集してＣＤ−Ｒ等の記録メディアに記録して、写真プリント店の店頭に設置された受付端末機（画像データ処理装置）にＣＤ−Ｒを読み込ませて、プリント注文の設定を行なう場合がある。このような場合には、例えば、ユーザ自身が受付端末機を操作して、受付端末機の画面に表示されるサムネイル画像を見ながらＣＤ−Ｒに記録されている種々の画像データの中から所望の画像データを選び出してプリント注文を行なう。しかし、近年、記録メディアの大容量化に伴って記録メディアに記録される画像データの枚数は増加の一途を辿っている。そのため、ＣＤ−Ｒ等に記録された種々の画像データの中から注文したい画像データを選び出すことが困難になってきている。
【０００３】
例えば、特許文献１には、予め記録メディアに書き込まれている注文情報を基にして、プリント注文を行なう受付端末機が開示されている。
【特許文献１】特開２００１−２８３３２１号公報（平成１３年１０月１２日公開）
【発明の開示】
【発明が解決しようとする課題】
【０００４】
しかしながら、上記従来の受付端末機では、以下に示すような問題点を有している。
すなわち、このような受付端末機では、予め記録メディアに注文情報を記録しておく必要があるため、手間がかかり面倒であった。
本発明の課題は、画像データを選び出す手間を大幅に省くことが可能な画像データ処理装置、および画像データ処理プログラムを提供することにある。
【課題を解決するための手段】
【０００５】
第１の発明に係る画像データ処理装置は、画像データを選び出すための処理を行なう画像データ処理装置であって、画像データが保存されているディレクトリがＤＣＦ規格に対応しているか否かを判定する判定部と、判定部において、ディレクトリがＤＣＦ規格に対応していないと判定された画像データを選択する選択部と、を備えている。
ここでは、画像データ処理装置は、関連情報がＤＣＦ規格に対応していない画像データを選択する。
【０００６】
ここで、ディレクトリには、例えば、フォルダが含まれる。
現在、デジタルカメラ等で撮影された画像データの多くは、ＤＣＦ（Ｄｅｓｉｇｎ  ｒｕｌｅ  ｆｏｒ  Ｃａｍｅｒａ  Ｆｉｌｅ  ｓｙｓｔｅｍ）規格に準拠している。このため、例えば、ファイルシステムとディレクトリ構成とディレクトリ名とファイル名とファイルフォーマットとは、それぞれＤＣＦ規格に準拠して作成される。このため、ファイルフォーマットはＥｘｉｆ（Ｅｘｃｈａｎｇｅ  ｉｍａｇｅ  ｆｉｌｅ  ｆｏｒｍａｔ）規格に準拠して作成される。また、近年、ＣＤ−Ｒ等の記録メディアの大容量化に伴い、例えば、ユーザが１つの記録メディアに種々の用途の画像データをまとめて記録させているケースも多い。
【０００７】
通常、このような受付端末機（画像データ処理装置）では、例えば、ユーザが自宅で編集した画像データを記録させたＣＤ-Ｒ等の記録メディアを写真プリント店に設置された受付端末機に読み込ませる。そして、ＣＤ-Ｒに含まれる画像データの中から、ユーザが注文したい画像データを選び出してプリント注文の設定を行なう。
しかし、記録メディアに記録されている種々の用途の画像データの中から、例えば、ユーザ自身が編集した画像データだけを選び出して、プリント注文の設定を行なうことは手間がかかり非常に面倒であった。なお、ユーザが上記のように編集した画像データは、例えば、記録メディアの適当な場所に新しく作成したフォルダの中に保存されている場合が多い。このため、ユーザが編集した画像データは、ＤＣＦ規格に準拠しない画像データとして記録メディアに保存されていることが多い。
【０００８】
そこで、本発明の画像データを選び出すための処理を行なう画像データ処理装置では、画像データを格納しているディレクトリがＤＣＦ規格に対応していない画像データを選択する。
これにより、例えば、記録メディアに記録されている大量の画像データの中から、画像データを保存しているフォルダの名前やフォルダの構成がＤＣＦ規格に準拠して作成されていない画像データだけを選び出すことができる。
このため、例えば、記録メディアの中から、ユーザが自宅で編集した画像データだけを従来よりも効率良く選び出すことができる。
この結果、例えば、ユーザがプリント注文の設定を行なう際に、プリント注文を行なう画像データを選び出す手間を大幅に省くことができる。
【０００９】
第２の発明に係る画像データ処理装置は、第１の発明に係る画像データ処理装置であって、判定部は、画像データを保存しているディレクトリがＤＣＦ規格に対応している画像データに対して、画像データが保存されているディレクトリに関する第１関連情報と画像データが格納されているＥｘｉｆデータに関する第２関連情報とを比較して所定の対応関係にあるか否かをさらに判定し、選択部は、判定部において第１関連情報と第２関連情報とが所定の対応関係にないと判定された画像データをさらに選択する。
【００１０】
ここでは、画像データ処理装置は、第１関連情報と第２関連情報とを比較して所定の対応関係にない画像データを選択する。
ここで、所定の対応関係には、例えば、第１関連情報と第２関連情報とをそれぞれ所定の変換テーブルによって変換して示されるメーカが同じメーカとなる関係が含まれる。なお、第１関連情報には、例えば、フォルダ名が含まれ、第２関連情報には、例えば、Ｅｘｉｆデータのタグ情報が含まれる。
【００１１】
通常、ＤＣＦ規格に準拠した画像データでは、例えば、撮影したデジタルカメラのメーカごとに、画像データを保存するフォルダにメーカに対応する所定のフォルダ名（例えば、１００‐ＸＸ）が付されている。また、例えば、撮影したデジタルカメラのメーカごとに、上記画像データを格納するＥｘｉｆデータにも、メーカを示すタグ情報（例えば、８桁の英数字）が含まれている。一方、例えば、ユーザが画像データを編集した場合には、画像データの保存されているフォルダのフォルダ名と画像データが格納されているＥｘｉｆデータに含まれるタグ情報とにおいてそれぞれ示されるメーカが異なっている場合もある。
【００１２】
そこで、本発明の画像データを選び出すための処理を行なう画像データ処理装置では、画像データを保存しているディレクトリがＤＣＦ規格に対応している画像データに対して、画像データが保存されているディレクトリに関する第１関連情報と、画像データが格納されているＥｘｉｆデータに関する第２関連情報とを、比較して所定の対応関係にない画像データを選択する。
【００１３】
これにより、例えば、記録メディアに記録されたＤＣＦ規格に対応している画像データに対して、上記画像データが保存されているフォルダ名と上記画像データが格納されているＥｘｉｆデータに含まれているタグ情報とを所定の変換テーブルを介してそれぞれ変換する。そして、変換の結果、上記フォルダ名と上記タグ情報とから示されるメーカが同じメーカではない画像データを選び出すことができる。
このため、例えば、記録メディアの中から、ユーザが自宅で編集した画像データだけ
をさらに効率良く選び出すことができる。
【００１４】
第３の発明に係る画像データ処理装置は、第１または第２の発明に係る画像データ処理装置であって、判定部は、画像データを保存しているディレクトリがＤＣＦ規格に対応している画像データに対して、画像データの形式が所定の形式であるか否かをさらに判定し、選択部は、判定部において所定の形式ではないと判定された画像データをさらに選択する。
【００１５】
ここでは、画像データ処理装置は、所定の形式ではない画像データを選択する。
ここで、所定の形式には、例えば、Ｅｘｉｆ形式が含まれる。
通常、Ｅｘｉｆ規格に準拠した画像データを市販のＥｘｉｆ規格に対応していない画像編集ソフト等によって編集すると、編集した画像データはＥｘｉｆ規格に準拠していないＪｐｅｇデータとして保存される。
【００１６】
そこで、本発明の画像データを選び出すための処理を行なう画像データ処理装置では、所定の形式ではない画像データを選択する。
これにより、例えば、記録メディアに記録されている大量の画像データの中から、Ｅｘｉｆ規格に準拠していないＪｐｅｇ形式やＴｉｆｆ形式の画像データを選び出すことができる
このため、例えば、記録メディアの中から、ユーザが自宅で編集した画像データだけをより効率良く選び出すことができる。
【００１７】
第４の発明に係る画像データ処理装置は、第２の発明に係る画像データ処理装置であって、第１関連情報は、画像データが保存されているディレクトリのディレクトリ名であり、第２関連情報は、画像データが格納されているＥｘｉｆデータのタグ情報である。
これにより、例えば、画像データが保存されているフォルダのフォルダ名の示すメーカ名と画像データが格納されているＥｘｉｆデータのタグ情報の示すメーカ名とを比較して同じメーカ名を示しているか否かを判定して、同じメーカ名を示していない画像データを選び出すことができる。
このため、例えば、記録メディアに保存されている画像データのフォルダ名と画像データが格納されているＥｘｉｆデータのタグ情報とを比較して、ユーザが自宅で編集した画像データをさらに効率良く選び出すことができる。
【００１８】
第５の発明に係る画像データ処理装置は、画像データを選択するための処理を行なう画像データ処理装置であって、画像データが所定の形式の画像データであるか否かを判定する判定部と、判定部において、所定の形式の画像データではないと判定された画像データを選択する選択部と、を備えている。
【００１９】
ここでは、画像データ処理装置は、所定の形式ではない画像データを選択する。
ここで、所定の形式には、例えば、Ｅｘｉｆ形式が含まれる。
現在、デジタルカメラ等で撮影された画像データの多くは、ＤＣＦ（Ｄｅｓｉｇｎ  ｒｕｌｅ  ｆｏｒ  Ｃａｍｅｒａ  Ｆｉｌｅ  ｓｙｓｔｅｍ）規格に準拠している。このため、例えば、ファイルシステムとディレクトリ構成とファイル名とファイルフォーマットとがそれぞれＤＣＦ規格に準拠して作成される。このため、ファイルフォーマットはＥｘｉｆ（Ｅｘｃｈａｎｇｅ  ｉｍａｇｅ  ｆｉｌｅ  ｆｏｒｍａｔ）規格に準拠して作成される。また、近年、ＣＤ−Ｒ等の記録メディアの大容量化に伴い、例えば、１つの記録メディアに種々の用途の画像データをまとめて記録させているケースも多い。
【００２０】
通常、このような画像データ処理装置において、例えば、自宅で編集した画像データを記録させたＣＤ-Ｒ等の記録メディアをユーザが写真プリント店に持ち込んで、店頭に設置された画像データ処理装置をユーザ自身が操作してプリント注文の設定を行なう場合がある。
しかし、記録メディアに記録されている種々の用途の画像データの中から、例えば、ユーザ自身が編集した画像データだけを選び出して、プリント注文の設定を行なうことは手間がかかり非常に面倒であった。なお、ユーザがデジタルカメラ等で撮影された画像データを上記のように編集すると、編集された画像データはＥｘｉｆ形式とは異なる形式のＪｐｅｇデータ等として保存されることが多い。
【００２１】
そこで、本発明の画像データを選び出すための処理を行なう画像データ処理装置では、所定の形成ではない画像データを選択する。
これにより、例えば、記録メディアに記録されている大量の画像データの中から、Ｅｘｉｆ形式ではないＪｐｅｇ等の画像データを選び出すことができる。
このため、例えば、記録メディアに記録されている画像データの中から、ユーザが自宅で編集した画像データだけを従来よりも効率良く選び出すことができる。
この結果、例えば、ユーザがプリント注文の設定を行なう際に、プリント注文を行なう画像データを選び出す手間を大幅に省くことができる。
【００２２】
第６の発明に係る画像データ処理装置は、第１から第５の発明のいずれか１つに係る画像データ処理装置であって、選択部によって選択された画像データを表示する表示部をさらに備えている。
ここでは、画像データ処理装置は、表示部を備えている。
これにより、例えば、ユーザがプリント注文の設定を店頭の画像データ処理装置において行なう際に、プリント注文を行なう画像データをモニタに表示させて確認することができる。
【００２３】
第７の発明に係る画像データの選択方法をコンピュータに実行させる画像データ処理プログラムは、画像データを選び出すための処理を行なう画像データ処理プログラムであって、画像データが保存されているディレクトリがＤＣＦ規格に対応しているか否かを判定する第１のステップと、第１のステップにおいて、ディレクトリがＤＣＦ規格に対応していないと判定された画像データを選択する第２のステップと、を備えている。
【００２４】
ここでは、画像データ処理プログラムは、関連情報がＤＣＦ規格に対応していない画像データを選択する。
ここで、ディレクトリには、例えば、フォルダが含まれる。
現在、デジタルカメラ等で撮影された画像データの多くは、ＤＣＦ（Ｄｅｓｉｇｎ  ｒｕｌｅ  ｆｏｒ  Ｃａｍｅｒａ  Ｆｉｌｅ  ｓｙｓｔｅｍ）規格に準拠している。このため、例えば、ファイルシステムとディレクトリ構成とディレクトリ名とファイル名とファイルフォーマットとは、それぞれＤＣＦ規格に準拠して作成される。このため、ファイルフォーマットはＥｘｉｆ（Ｅｘｃｈａｎｇｅ  ｉｍａｇｅ  ｆｉｌｅ  ｆｏｒｍａｔ）規格に準拠して作成される。また、近年、ＣＤ−Ｒ等の記録メディアの大容量化に伴い、例えば、ユーザが１つの記録メディアに種々の用途の画像データをまとめて記録させているケースも多い。
【００２５】
通常、このような受付端末機（画像データ処理装置）における画像データの選択方法では、例えば、ユーザが自宅で編集した画像データを記録させたＣＤ-Ｒ等の記録メディアを写真プリント店に設置された受付端末機に読み込ませる。そして、ＣＤ-Ｒに含まれる画像データの中から、ユーザが注文したい画像データを選び出してプリント注文の設定を行なう。
【００２６】
しかし、記録メディアに記録されている種々の用途の画像データの中から、例えば、ユーザ自身が編集した画像データだけを選び出して、プリント注文の設定を行なうことは手間がかかり非常に面倒であった。なお、ユーザが上記のように編集した画像データは、例えば、記録メディアの適当な場所に新しく作成したフォルダの中に保存されている場合が多い。このため、ユーザが編集した画像データは、ＤＣＦ規格に準拠しない画像データとして記録メディアに保存されていることが多い。
【００２７】
そこで、本発明の画像データを選び出すための処理を行なう画像データ処理プログラムでは、画像データを格納しているディレクトリがＤＣＦ規格に対応していない画像データを選択する。
これにより、例えば、記録メディアに記録されている大量の画像データの中から、画像データを保存しているフォルダの名前やフォルダの構成がＤＣＦ規格に準拠して作成されていない画像データだけを選び出すことができる。
【００２８】
このため、例えば、記録メディアの中から、ユーザが自宅で編集した画像データだけを従来よりも効率良く選び出すことができる。
この結果、例えば、ユーザがプリント注文の設定を行なう際に、プリント注文を行なう画像データを選び出す手間を大幅に省くことができる。
【発明の効果】
【００２９】
第１の発明に係る画像データ処理装置によれば、例えば、ユーザがプリント注文の設定を行なう際に、プリント注文を行なう画像データを選び出す手間を大幅に省くことができる。
第２の発明に係る画像データ処理装置によれば、例えば、記録メディアの中から、ユーザが自宅で編集した画像データだけをさらに効率良く選び出すことができる。
【００３０】
第３の発明に係る画像データ処理装置によれば、例えば、記録メディアの中から、ユーザが自宅で編集した画像データだけをより効率良く選び出すことができる。
第４の発明に係る画像データ処理装置によれば、例えば、記録メディアに保存されている画像データのフォルダ名と画像データが格納されているＥｘｉｆデータのタグ情報とを比較して、ユーザが自宅で編集した画像データをさらに効率良く選び出すことができる。
【００３１】
第５の発明に係る画像データ処理装置によれば、例えば、ユーザがプリント注文の設定を行なう際に、プリント注文を行なう画像データを選び出す手間を大幅に省くことができる。
第６の発明に係る画像データ処理装置によれば、例えば、ユーザがプリント注文の設定を店頭の画像データ処理装置において行なう際に、プリント注文を行なう画像データをモニタに表示させて確認することができる。
【００３２】
第７の発明に係る画像データ処理プログラムによれば、例えば、ユーザがプリント注文の設定を行なう際に、プリント注文を行なう画像データを選び出す手間を大幅に省くことができる。
【発明を実施するための最良の形態】
【００３３】
本発明の一実施形態に係る写真プリント装置１について、図１〜図４を用いて説明すれば以下の通りである。
［写真プリント装置１の全体構成］
本発明の一実施形態に係る写真プリント装置１は、図１に示すように、写真プリント店の店頭に設置される店頭受付機である。また、写真プリント装置１は、例えば、ユーザが自宅で編集した画像データを後段にて詳述する選択処理方法によってＣＤ−ＲやＵＳＢメモリを含む各種記録メディアに含まれる多数の画像データの中から取得する。そして、ユーザが編集した各画像データに対するプリント枚数、プリントサイズ等のプリント注文の設定がユーザによって入力されると、入力内容を反映させて写真プリントを行う。写真プリント装置１は、モニタ１１等を含む受付端末機（画像データ処理装置）２と、プリンタ３と、ボックス４と、を備えている。
【００３４】
受付端末機２は、プリンタ３の上に載置されており、モニタ（表示部）１１、メディアリーダ１２、赤外線受光部１３、ＣＤ（コンパクトディスク）ドライブ１４、ＦＤ（フロッピー（登録商標）ディスク）ドライブ１５を備えている。
プリンタ３は、受付端末機２において取得された画像データを、ユーザによって設定されたプリント枚数、画像処理内容に基づいて写真プリントを行なう。
【００３５】
ボックス４は、プリンタ３の上部の側面側に配置されており、管理Ｎｏ．が記入されたプリント引換証が納められている。なおプリント引換証については後段にて詳述する。
モニタ１１は、タッチパネル式の表示装置であって、プリント枚数や画像処理内容の設定等がアイコンやボタン等の押下によって入力される。なお、モニタ１１には、後段にて詳述する操作入力画面１００が表示される。
【００３６】
これにより、ユーザがプリント注文の設定を店頭の受付端末機２において行なう際に、ユーザが編集した画像データを操作入力画面１００（図３参照）（後段にて詳述）における各画像表示エリア１０１にそれぞれ表示して確認することができる。
メディアリーダ１２は、各種記録メディアに対応することができるように複数種類設けられており、挿入された記録メディアから画像データを取得する。
【００３７】
赤外線受光部１３は、カメラ付き携帯電話から赤外線送信される画像データを、赤外線通信によって取得する。なお、カメラ付き携帯電話からの画像データの取得は、赤外線通信に限らず、専用ケーブル等を用いて行うことも可能である。
ＣＤドライブ１４およびＦＤドライブ１５は、ＣＤ−Ｒ／ＲＷ、ＦＤがそれぞれ挿入され、記録された画像データを取得する。また、ＣＤドライブ１４については、画像処理後の画像データを記録することもできる。
【００３８】
ユーザは、受付端末機２において、モニタ１１に表示される操作入力画面１００（後段にて詳述）等の各操作画面において、プリントサイズ、プリント枚数等の各種設定を行う。また、受付端末機２は、ＲＯＭ、ＲＡＭ、ＨＤＤ等の記憶デバイス（図示せず）を有している。そして、受付端末機２において、操作入力画面１００等の各操作画面を介してユーザによって入力された指示に従って、記憶デバイスに記憶された、例えば、画像データ処理プログラムがＣＰＵによって読み込まれる。これにより、受付端末機２において、メディアリーダ１２と赤外線受光部１３とCDドライブ１４とFDドライブ１５等から読み込まれた画像データに対して選択処理を行なって操作入力画面１００に表示するために必要な機能が機能ブロックとして形成される。
【００３９】
受付端末機２は、上記機能ブロックとして、図２に示すように、ＧＵＩ部２１と、判定部２２と、選択部２３と、プリントデータ生成部２４と、を機能ブロックとして備えている。
記憶部２０は、上記メディアリーダ１２と赤外線受光部１３とCDドライブ１４とFDドライブ１５等から取得された画像データや各種画像データ処理を行なった画像データをそれぞれ記憶する。
【００４０】
ＧＵＩ部（Graphical User Interface）２１は、各種ウインドウや各種操作ボタンなどを含む操作入力画面１００（後段にて詳述）等のグラフィック操作画面を作成したり、このグラフィック操作画面を介したオペレータの操作入力に基づいて制御コマンドを生成したりするためのグラフィックユーザインターフェースを構築する。
判定部２２は、記憶部２０において記憶されている画像データに対して、それぞれの画像データがユーザによって編集された画像データであるか否かを判定する（後段にて詳述）。
【００４１】
選択部２３は、上記判定部２２においてユーザによって編集された画像データと判定された画像データを選び出す。そして、選択部２３は、操作入力画面１００（図３参照）（後段にて詳述）における各画像表示エリア１０１に対応しており、選び出した画像データは各画像表示エリア１０１にそれぞれ表示される。
ここで、取得された画像データの中から判定部２２および選択部２３によってユーザが編集した画像データを選び出す選択方法について、より具体的に説明すると以下の通りである。
【００４２】
まず、判定部２２は、上記メディアリーダ１２と赤外線受光部１３とCDドライブ１４とFDドライブ１５等から入力された画像データが保存されているフォルダがＤＣＦ規格に対応しているか否かを、例えば、フォルダ構成やフォルダ名から判定する。そして、選択部２３は、判定部２２において、上記フォルダがＤＣＦ規格に対応していないと判定された画像データを選び出す。
【００４３】
通常、ユーザが編集した画像データは、ＤＣＦ規格に対応していないＪｐｅｇデータ等の画像データとしてＣＤ−Ｒ等に記録されていることが多い。
これにより、例えば、ＣＤ−Ｒに記録されている大量の画像データの中から、画像データを保存しているフォルダのフォルダ名やフォルダの構成がＤＣＦ規格に対応して作成されていない画像データを選び出すことができる。
【００４４】
次に、判定部２２は、画像データが保存されているフォルダがＤＣＦ規格に対応していると判定された画像データに対して、上記画像データの形式がＥｘｉｆ形式（所定の形式）であるか否かをさらに判定する。そして、選択部２３は、上記Ｅｘｉｆ形式ではないと判定された、例えば、Ｊｐｅｇ形式やＴｉｆｆ形式の画像データをさらに選び出す。
一般に、デジタルカメラ等によって撮影された画像データをＥｘｉｆ規格に対応していない編集ソフトによってユーザが編集すると、編集された画像データはＥｘｉｆ規格に対応していない、すなわちＥｘｉｆ形式ではないＪｐｅｇデータやＴｉｆｆデータ等として保存される。
【００４５】
これにより、ＣＤ−Ｒ等の記録メディアに記録されている画像データの中から、Ｅｘｉｆ規格に対応していない画像データを選び出すことができる。
最後に、判定部２２は、上記Ｅｘｉｆ形式であると判定された画像データに対して、上記画像データの保存されているフォルダのフォルダ名（第１関連情報）と、上記画像データが格納されているＥｘｉｆデータのタグ情報（第２関連情報）とを比較して所定の対応関係にあるか否かを判定する。なお、タグ情報には、例えば、英数字８桁の文字情報が含まれる。ここで、所定の対応関係とは、上記フォルダ名と上記タグ情報とをそれぞれ所定の変換テーブルによって変換して示されるメーカ名が同じメーカ名となる関係である。そして、選択部２３は、判定部２２において、上記対応するメーカ名が同じではないと判定された画像データをさらに選び出す。
【００４６】
一般に、デジタルカメラ等によって撮影されたＤＣＦ規格に対応した画像データでは、例えば、画像データを保存するフォルダに所定のフォルダ名が付されており、上記画像データを格納するＥｘｉｆデータにはメーカ名を示すタグ情報が含まれている。一方、ユーザが編集した画像データでは上記フォルダ名と上記タグ情報とにおいて示されるメーカ名が異なる場合がある。
【００４７】
これにより、ＣＤ−Ｒ等の記録メディアに記録されているＤＣＦ規格に対応している画像データに対して、画像データが保存されているフォルダ名と画像データが格納されているＥｘｉｆデータのタグ情報とを比較して対応するメーカ名が同じメーカ名ではない画像データを選び出すことができる。
ここで、選択部２３は、上述したように、操作入力画面１００（図３参照）（後段にて詳述）における各画像表示エリア１０１に対応しており、選択部２３によって選び出された画像データをユーザによって編集された画像データとして各画像表示エリア１０１（図３参照）（後段にて詳述）にそれぞれ表示させる。
【００４８】
プリントデータ生成部２４は、操作入力画面１００においてユーザが入力したプリント枚数やプリントサイズの設定に基づいて、プリンタ３に対して各画像データのプリント出力を行なわせるために必要なプリントデータを生成する。
＜画像データに対するプリント注文の設定画面＞
本実施形態の受付端末機２において、選択部２３によって選び出された画像データに対してプリント注文の設定を行う際に、モニタ１１に実際に表示される操作入力画面１００について説明すれば、以下の通りである。
【００４９】
本実施形態では、図３に示すように、操作入力画面１００において、ＣＤ−Ｒ等に記録された画像データのうち、ユーザが編集した画像データが表示される。
各画像表示エリア１０１は、選択部２３に対応しており、図３に示すように、操作入力画面１００において上部と下部にそれぞれ３箇所ずつ均等に配置されている。そして、選択部２３によって選び出された画像データをそれぞれ表示する。
【００５０】
ページＮｏ．表示枠１０２は、図３に示すように、操作入力画面１００の左側の下部に配置されており、操作入力画面１００に表示されている画像データのページＮｏを表示する。ここで、例えば、ページＮｏ．表示枠１０２における「２／８」という表示は、操作入力画面１００において、現在表示されているページが全体の２ページ目であって、全体のページ数が８ページであることを示している。そして、ページＮｏ．表示枠１０２の左側近傍に配置されている選択ボックス１０６の矢印を押下することで、操作入力画面１００において表示されるページを順に切り替える事ができる。
【００５１】
プリント枚数表示枠１０３は、図３に示すように、各画像表示エリア１０１の下方においてやや右寄りにそれぞれ配置されており、各画像表示エリア１０１において表示されている画像データのプリント枚数を表示する。そして、プリント枚数表示枠１０３の左側近傍に配置されている選択ボックス１０６の矢印を押下することでプリント枚数を変更することができる。なお、初期設定のプリント枚数は１枚に設定されており、ユーザは変更が必要な画像データのプリント枚数だけを変更する。
【００５２】
プリントサイズ表示枠１０4は、図３に示すように、各画像表示エリア１０１の下方においてやや左寄りにそれぞれ配置されており、各画像表示エリア１０１において表示されている画像データのプリントサイズを表示する。そして、プリントサイズ表示枠１０4の左側近傍に配置されている選択ボックス１０６の矢印を押下することでプリントサイズを変更することができる。なお、初期設定のプリントサイズは「Ｌ」サイズに設定されており、ユーザは変更が必要な画像データのプリント枚数だけを変更する。
【００５３】
Ｏ．Ｋ．ボタン１０５は、操作入力画面１００において、下側の右端部に配置されており、操作入力画面１００における選択処理の設定を完了するためのボタンである。
＜画像データに対する選択処理の設定＞
ここで、本実施形態の受付端末機２による画像データに対する選択処理の流れについて、図４に示すフローチャートと、上述したモニタ１１に表示される図３に示す操作入力画面１００と、を用いて説明すれば以下の通りである。なお、ここでは、選択処理の一例として、CDドライブ１４に挿入したＣＤ−Ｒに含まれる画像データの中からユーザが編集した画像データを選び出す選択処理について説明する。
【００５４】
ステップＳ１では、受付端末機２は、ユーザがCDドライブ１４に挿入したＣＤ−Ｒに含まれる画像データを全て読み込む。
ステップＳ２では、判定部２２は、画像データの保存されているフォルダがＤＣＦ規格に対応しているか否かを、例えば、フォルダ名やフォルダ構成を基にして判定する。そして、判定部２２が上記フォルダはＤＣＦ規格に対応していると判定した場合には、ステップＳ３に進む。一方、判定部２２が上記フォルダはＤＣＦ規格に対応していないと判定した場合には、選択部２３が上記画像データを選択する。そして、ステップＳ６へと進み、選択部２３が選択した上記画像データは、操作入力画面１００における画像表示エリア１０１に表示される。
【００５５】
ステップＳ３では、判定部２２は、ステップＳ２において上記フォルダがＤＣＦ規格に対応していると判定された画像データに対して、画像データの形式がＥｘｉｆ形式であるか否かをさらに判定する。そして、判定部２２が画像データの形式はＥｘｉｆ形式であると判定した場合には、ステップＳ４へ進む。一方、判定部２２が画像データの形式はＥｘｉｆ形式ではないと判定した場合には、選択部２３が上記画像データを選択する。そして、ステップＳ６へと進み、選択部２３が選択した上記画像データが操作入力画面１００における画像表示エリア１０１に表示される。
【００５６】
ステップＳ４では、判定部２２は、ステップＳ３において画像データの形式がＥｘｉｆ形式であると判定された画像データに対して、画像データの保存されている上記フォルダに関する第１関連情報と、上記画像データが格納されているＥｘｉｆデータに関する第２関連情報とを比較して所定の対応関係にあるか否かをさらに判定する。より具体的には、判定部２２は、画像データが保存されている上記フォルダのフォルダ名と上記Ｅｘｉｆデータのタグ情報（以下、フォルダ名とタグ情報）とをそれぞれ所定の変換テーブルによって変換する。そして、判定部２２は、フォルダ名とタグ情報とを所定の変換テーブルによってそれぞれ変換して示されるメーカ名が同じか否かを判定する。なお、フォルダ名とタグ情報とをそれぞれ変換して示されるメーカ名が同じ場合には、ステップＳ５へ進む。一方、フォルダ名とタグ情報とを変換して示されるメーカ名が異なる場合には、選択部２３によって上記画像データが選択される。そして、ステップＳ６へと進み、選択部２３によって選択された上記画像データが操作入力画面１００における画像表示エリア１０１に表示される。
【００５７】
ステップＳ５では、ステップＳ１において読み込んだＣＤ−Ｒ等の各種記録メディアに含まれる全ての画像データに対して判定部２２が判定を行なった場合には一連の選択処理を終了する。一方、全ての画像データに対して判定部２２による判定がまだ終わっていない場合には、ステップＳ２に遷移して画像データに対する一連の選択処理を再び行なう。
［写真プリント装置１の特徴］
（１）
本実施形態の写真プリント装置１において、受付端末機２は、図２に示すように、画像データが保存されているフォルダがＤＣＦ規格に対応しているか否かを判定する判定部２２と、判定部２２においてＤＣＦ規格に対応していないと判定された画像データを選び出す選択部２３と、を備えている。
【００５８】
一般に、ユーザが自宅で編集した画像データをＣＤ−Ｒ等に記録させて、写真プリント店に設置されている受付端末機を自分で操作してプリント注文の設定を行なう場合がある。しかし、ＣＤ−Ｒ等に記録されている多数の画像データの中から、ユーザが自分で編集した画像データを探し出して注文設定を行なうには非常に手間がかかり面倒であった。なお、ユーザが編集した画像データは、ＤＣＦ規格に対応していない画像データとしてＣＤ−Ｒ等に記録されていることが多い。
【００５９】
これにより、例えば、ＣＤ−Ｒに記録されている大量の画像データの中から、画像データを保存しているフォルダのフォルダ名やフォルダの構成がＤＣＦ規格に対応して作成されていない画像データを選び出すことができる。
このため、記録メディアに記録された画像データの中から、ユーザは自宅で編集した画像データだけを従来よりも効率よく選び出すことができる。
【００６０】
この結果、ユーザがプリント注文を行なう際、注文したい画像データを選び出す手間を大幅に省くことができる。
（２）
本実施形態の写真プリント装置１の備える受付端末機２において、図４に示すように、判定部２２（図２参照）は、画像データが保存されているフォルダがＤＣＦ規格に対応している画像データに対して、上記フォルダのフォルダ名と上記画像データが格納されているＥｘｉｆデータのタグ情報とを比較して所定の対応関係にあるか否かをさらに判定する。そして、選択部２３（図２参照）は、判定部２２において所定の対応関係にないと判定された画像データをさらに選び出す。
【００６１】
ここで、所定の対応関係とは、画像データの保存されているフォルダのフォルダ名と、画像データが格納されているＥｘｉｆデータを所定の変換テーブルによって変換した際に、示されるメーカ名が同じとなる関係である。
これにより、ＣＤ−Ｒ等の記録メディアに記録されているＤＣＦ規格に対応している画像データに対して、画像データが保存されているフォルダ名と画像データが格納されているＥｘｉｆデータのタグ情報とを比較して対応するメーカ名が同じメーカ名ではない画像データを選び出すことができる。
【００６２】
このため、ＣＤ−Ｒの中からユーザが自宅で編集した画像データだけをさらに効率よく選び出すことができる。
（３）
本実施形態の写真プリント装置１の備える受付端末機２において、図４に示すように、判定部２２（図２参照）は、画像データが保存されているフォルダがＤＣＦ規格に対応している画像データに対して、画像データの形式がＥｘｉｆ形式であるか否かをさらに判定する。そして、選択部２３（図２参照）は、判定部２２においてＥｘｉｆ形式ではないと判定された画像データをさらに選び出す。
【００６３】
これにより、ＣＤ−Ｒ等に記録されている画像データの中から、Ｅｘｉｆ形式で記録されていない画像データを選び出すことができる。
このため、ＣＤ−Ｒの中からユーザが自宅で編集した画像データだけをより効率よく選び出すことができる。
（４）
本実施形態の写真プリント装置１の備える受付端末機２において、第１関連情報は画像データの保存されているフォルダ名であり、第２関連情報は、上記画像データが保存されているＥｘｉｆデータのタグ情報である。
【００６４】
これにより、画像データが保存されているフォルダのフォルダ名と画像データが格納されているＥｘｉｆデータのタグ情報とを比較して対応するメーカ名が同じメーカ名ではない画像データを選び出すことができる。
このため、ＣＤ−Ｒの中からユーザが自宅で編集した画像データをさらに効率よく選び出すことができる。
【００６５】
（５）
本実施形態の写真プリント装置１において、受付端末機２は、図１に示すように、選択部２３によって選び出された画像データを表示するモニタ１１をさらに備えている。
これにより、ユーザがプリント注文の設定を行なう際に、プリント注文を行なう画像データを表示させて確認することができる。
【００６６】
［他の実施形態］
以上、本発明の一実施形態について説明したが、本発明は上記実施形態に限定されるものではなく、発明の要旨を逸脱しない範囲で種々の変更が可能である。
（Ａ）
上記実施形態では、受付端末機２において、図４に示すように、ステップＳ２・Ｓ３・Ｓ４において、段階的に画像データの選択処理を行なう例を挙げて説明した。しかし、本発明はこれに限定されるものではない。
【００６７】
例えば、図４に示すフローチャートのステップＳ２・Ｓ３・Ｓ４における画像データの選択処理の代わりに、図６に示すフローチャートのステップＳ１２における選択処理によって画像データの選択を行なってもよい。ここで、図６に示すフローチャートに従った画像データの選択処理について、より具体的に説明すると以下の通りである。
ステップＳ１１では、受付端末機２において、ユーザがCDドライブ１４に挿入したＣＤ−Ｒに含まれる画像データが全て読み込まれる。
【００６８】
ステップＳ１２において、判定部２２は、画像データがＥｘｉｆ形式であるか否かを判定する。そして、判定部２２がＥｘｉｆ形式であると判定した場合には、ステップＳ１３へと進む。一方、判定部２２がＥｘｉｆ形式ではないと判定した場合には、選択部２３が上記画像データを選択して、ステップＳ１４へと進む。そして、ステップＳ１４において、選択部２３が選択した上記画像データが操作入力画面１００（図３参照）における画像表示エリア１０１に表示される。
【００６９】
ステップＳ１３では、ステップＳ１１において読み込んだＣＤ−Ｒ等の各種記録メディアに含まれる全ての画像データに対して判定部２２が判定を行なった場合には一連の選択処理を終了する。一方、全ての画像データに対して判定部２２による判定がまだ終わっていない場合には、ステップＳ１２に遷移して画像データに対する一連の選択処理を再び行なう。
【００７０】
この場合にも、上記実施形態にかかる受付端末機２と同様の効果を得ることができる。
（Ｂ）
上記実施形態では、受付端末機２において、図４に示すように、ステップＳ２・Ｓ３・Ｓ４において、段階的に画像データの選択処理を行なう例を挙げて説明した。しかし、本発明はこれに限定されるものではない。
【００７１】
例えば、受付端末機２において、ステップＳ２・Ｓ３・Ｓ４のうち少なくともステップＳ２に含まれる画像データを保存しているフォルダがＤＣＦ規格に対応しているか否かを判定して、ＤＣＦ規格に対応していないフォルダにおいて保存されている画像データを選択する工程を含む選択処理を行なうようにしてもよい。
この場合には、画像データの選択処理方法をより簡略化することができる。但し、ＣＤ−Ｒ等に記録されている画像データの中からユーザが編集した画像データを漏れなく選択することができないおそれがあるため、上記実施形態にかかる画像データの選択処理方法の方がより好ましい。
【００７２】
（Ｃ）
上記実施形態では、本発明を受付端末機２として実現した例を挙げて説明した。しかし、本発明はこれに限定されるものではない。
例えば、上述した各ステップＳ１〜Ｓ６のうち少なくとも、ステップＳ２に含まれる画像データの保存されているフォルダがＤＣＦ規格に対応しているか否かを判定する工程と、ステップＳ２に含まれる上記フォルダがＤＣＦ規格に対応していない画像データを選び出す工程とを含む画像データの選択処理方法をコンピュータに実行させる画像データ処理プログラムとして実現することもできる。
【００７３】
本発明を画像データ処理プログラムとして実現した場合でも、コンピュータによって画像データの選択処理方法が実行されることで、上記実施形態にかかる受付端末機２と同様の効果を得ることができる。
（Ｄ）
上記実施形態では、受付端末機２において、ディレクトリがフォルダとして表現されている例を挙げて説明した。しかし、本発明はこれに限定されるものではない。
【００７４】
例えば、ＵＮＩＸ（登録商標）やＭＳ‐ＤＯＳ（登録商標）等のフォルダが存在しないＯＳ上では、フォルダの代わりにディレクトリを用いてもよい。
この場合にも、上記実施形態にかかる受付端末機２と同様の効果を得ることができる。
（Ｅ）
上記実施形態では、受付端末機２において、判定部２２は、第１関連情報として画像データの保存されているフォルダのフォルダ名と第２関連情報として上記画像データの格納されているＥｘｉｆデータのタグ情報とをそれぞれ所定の変換テーブルによって変換する。そして、上記フォルダ名と上記タグ情報とを所定の変換テーブルによって変換した結果示されるメーカ名が同じメーカ名となる関係（所定の対応関係）にあるか否かを判定する例を挙げて説明した。しかし、本発明はこれに限定されるものではない。
【００７５】
例えば、第１関連情報として画像データの保存されているフォルダの作成日と、第２関連情報として上記画像データの格納されているＥｘｉｆデータのタグ情報に含まれる作成日とを、比較して作成日が同日となるか否かを判定してもよい。
この場合には、上記フォルダの作成日と上記Ｅｘｉｆデータの作成日とが同日であるか否かを判定することで、上記実施形態にかかる受付端末機２と同様の効果を得ることができる。
【００７６】
（Ｆ）
上記実施形態では、受付端末機２において、判定部２２は所定の形式としてＥｘｉｆ形式であるか否かを判定する例を挙げて説明した。しかし、本発明はこれに限定されるものではない。
例えば、ユーザが選択したい画像データがＥｘｉｆ形式のＪｐｅｇデータ以外の画像データである場合には、所定の形式としてＥｘｉｆ形式のＪｐｅｇデータであるか否かを判定してもよい。
【００７７】
この場合にも、上記実施形態にかかる受付端末機２と同様の効果を得ることができる。
（Ｇ）
上記実施形態では、受付端末機２は、モニタ１１を備えている例を挙げて説明した。しかし、本発明はこれに限定されるものではない。
例えば、プリント注文を行なう際に画像データを確認する必要がない場合には、受付端末機２はモニタ１１を備えていなくてもよい。
【００７８】
この場合には、受付端末機２を製造するコストを削減することができる。
但し、この場合には、プリント注文を行なう際に画像データを確認することができないので、上記実施形態のようにモニタを設ける方がより好ましい。
（Ｈ）
上記実施形態では、画像データ処理装置は、ユーザがプリント注文を行なう写真プリント装置１に備えられた受付端末機２である例を挙げて説明した。しかし、本発明はこれに限定されるものではない。
【００７９】
例えば、オペレータがプリント処理を行なう写真プリントシステムや、フィルムプロセッサにおいて画像データ処理装置を備えてもよい。
この場合には、上記実施形態にかかる受付端末機２と同様の効果を得ることができる。
また、例えば、画像データ処理装置は、プリンタとは別に設けられた受付端末機であってもよい。
【００８０】
この場合には、ユーザが受付端末機でプリント注文の設定を行なって、プリント処理はオペレータが別に設けられたプリンタ、例えば、写真プリント装置や写真プリントシステムやフィルムプロセッサを操作して行なう場合においても、上記実施形態にかかる受付端末機２と同様の効果を得ることができる。
（Ｉ）
上記実施形態では、受付端末機２においてユーザが行なったプリント注文の設定を基にして、プリンタ３においてプリント処理を行なう例を挙げて説明した。しかし、本発明はこれに限定されるものではない。
【００８１】
例えば、受付端末機２においてユーザがプリント注文の設定を行なって、プリント出力はオペレータがプリンタ３以外、すなわち写真プリント装置１以外の、例えば、現像処理装置、写真プリント装置や、レーザプリンタによって行なう場合には、ボックス４（図１参照）に納められているプリント引換証（使用方法については後段にて詳述）を利用してもよい。また、例えば、画像データ処理装置がプリンタとは別に設けられた受付端末機であって、例えば、受付端末機でユーザが行なったプリント注文の設定に基づいて店舗スタッフ等のオペレータが写真プリント装置を操作してプリント処理を行なう場合にも、上記と同様にプリント引換証を利用してプリント注文を行なってもよい。
【００８２】
ここで、上記プリント引換証の使用方法について、図５を用いてユーザが画像データを記録したＣＤ−ＲをＣＤドライブ１４（図１参照）に挿入する場合を例に挙げて具体的に説明すると以下の通りである。
ユーザが、例えば、画像データを記録したＣＤ−ＲをＣＤドライブ１４に挿入すると、自動的にモニタ１１に図５に示す管理Ｎｏ．入力画面１１０が表示される。そして、管理Ｎｏ．入力画面１１０において、ユーザはボックス４に納められたプリント引換証を一枚取って、プリント引換証に記載されている管理Ｎｏ．を入力キー１１２を押下して入力する。この際、入力された管理Ｎｏ．が管理Ｎｏ．表示エリア１１１において表示されるので、ユーザは管理Ｎｏ．がプリント引換証に記載されている管理Ｎｏ．と一致しているか否かを確認する。そして、ユーザは、管理Ｎｏ．が正確に入力されていることを確認するとＯ．Ｋ．ボタン１１３を押下して管理Ｎｏ．の入力を終了する。
【００８３】
通常、このような受付端末機においてユーザがプリント注文を行なう場合には、店舗スタッフ等が管理Ｎｏ．を受付証プリンタ、すなわち専用のプリンタで受付証にプリントしてユーザに渡していた。なお、管理Ｎｏ．は、ユーザがプリント注文を行なった写真プリントの裏面にも記入されていた。そして、写真プリントをユーザに引き渡す際には、ユーザが持参した受付証の管理Ｎｏ．と、写真プリントの裏面に記入されている管理Ｎｏ．とを照らし合わせて、ユーザが注文した写真プリントを確実に渡せるようにしていた。
【００８４】
しかし、上記のように専用のプリンタを管理Ｎｏ．を受付証にプリントするために設けることはコストの面から問題であった。
そこで、受付端末機２では、プリンタ３の上部の側面側に設けられたボックス４の中に、管理Ｎｏ．が記入されたプリント引換証を納めておく。そして、ユーザはプリント注文を行なう際、上記のように、プリント引換証に記載されている管理Ｎｏ．を管理Ｎｏ．入力画面１１０において入力する。そして、ユーザは、例えば、注文したプリント注文を受け取る際に上記プリント引換証をレジで店舗スタッフ等のオペレータに提示して写真プリントを受け取る。
【００８５】
これにより、写真プリントをユーザに引き渡す際に、ユーザが持参したプリント引換証に記載されている管理Ｎｏ．と、管理Ｎｏ．入力画面１１０において入力された管理Ｎｏ．とを照合することで、ユーザが注文した写真プリントを確実に渡すことができる。
このため、専用のプリンタが不要となるので装置のコストを削減することができる。
（Ｊ）
上記他の実施形態（Ｉ）では、図５に示す管理Ｎｏ．入力画面１１０において、プリント引換証に記入された管理Ｎｏ．をユーザが入力する例を挙げて説明した。しかし、本発明はこれに限定されるものではない。
【００８６】
例えば、プリント引換証に記入された管理Ｎｏ．をユーザが入力する代わりとして、注文された写真プリントを入れる袋（ＤＰ袋）に管理Ｎｏ．を予め記入して、ユーザがＤＰ袋に記入されている管理Ｎｏ．を管理Ｎｏ．入力画面１１０において入力するようにしてもよい。
この場合には、プリント引換証を別途用意する必要がなくなるので、プリント引換証のコストを削減することができる。
【００８７】
（Ｋ）
上記他の実施形態（Ｉ）では、図５に示す管理Ｎｏ．入力画面１１０において、プリント引換証に記入された管理Ｎｏ．をユーザが入力する例を挙げて説明した。しかし、本発明はこれに限定されるものではない。
例えば、管理Ｎｏ．入力画面１１０において、プリント引換証の管理Ｎｏ．を入力する代わりに、ユーザが任意に決めた４桁の暗証番号を管理Ｎｏ．の代わりとして用いてもよい。なお、暗証番号としては、上記４桁の暗証番号の他、ユーザの携帯電話や自宅の電話番号、生年月日等を用いることも考えられる。
【００８８】
また、例えば、上記暗証番号は２桁の英数字とユーザの名前の組み合わせであってもよい。
なお、暗証番号が重なってしまった場合には、後の暗証番号を受付端末機が受け付けないようにすることで、複数のユーザの暗証番号が重なってしまうといった問題が発生することを防止することができる。
【００８９】
これらの場合には、プリント引換証を別途用意する必要がなくなるので、プリント引換証のコストを削減することができる。また、ユーザがレジにプリント引換証を持っていく手間を省くという効果もある。
（Ｌ）
上記他の実施形態（Ｉ）では、写真プリント装置１に備えられた受付端末機２において管理Ｎｏ．を用いてユーザが注文した写真プリントの照合を行なう例を挙げて説明した。しかし、本発明はこれに限定されるものではない。
【００９０】
従来から写真プリント装置と受付端末機とを別々に設けて、ユーザが受付端末機を操作してプリント注文を行なう場合がある。
このような受付端末機の中には、例えば、ユーザがプリント注文を行なうと、レシート状の受付証とお客様控えとをそれぞれ専用のプリンタや受付証機構や受付証発行プログラムによってユーザに発行するものがある。そして、ユーザは発行された受付証を受付のオペレータに渡して、オペレータがユーザから受け取った受付証を基にして写真プリント装置を操作してプリント処理を行なう。また、この受け付けた受付証を基にして、オペレータはユーザのプリント注文の照合等を行なう。なお、レシートには、プリント注文を特定する情報や、ユーザの氏名、電話番号等の個人情報等が記載されている。
【００９１】
しかし、このような受付端末機において、レシートを発行するとユーザが個人情報を記入する手間や受付端末機がレシートを発行するのに手間がかかるという問題があった。また、受付証を発行する専用のプリンタ等を受付端末機に設ける必要がある。このため、装置のコストが増加するといった問題や、レシート紛失時に、個人情報が流出するといったおそれもあった。
【００９２】
そこで、例えば、受付端末機において、ユーザが写真プリントの注文を行なう際に、ユーザが任意に決めた暗証番号を入力するとともに、モニタに表示される覚えやすい画像や文字列をユーザが記憶する。そして、写真プリントを引き渡す際に、上記暗証番号と上記覚えやすい画像や文字列によって、ユーザが注文したオーダのオーダ番号の確認と個人認証とを行なうようにしてもよい。
【００９３】
これにより、上記のような受付端末機においてユーザが行なったプリント注文を基に、オペレータが写真プリント装置を操作してプリント処理を行なう場合には、レシートを発行する必要がなくなるので、ユーザが個人情報を記入する手間を省くことができる。また、専用のプリンタ等を設ける必要がなくなるので装置のコストを削減することができる。さらに、レシート紛失時に個人情報が流出するといった問題も解消することができる。なお、例えば、店舗側で番号札を用意しておいて、この番号札の番号を上記暗証番号の代わりに用いてもよい。
【００９４】
（Ｍ）
上記実施形態では、受付端末機２において、ＣＤ−Ｒ等の記録メディアから画像データを読み込む例を挙げて説明した。
一般に、写真プリント店において作成されたＣＤ−Ｒ等の記録メディアには、デジタルカメラ等によって撮影された画像データの他に、テンプレートやサムネイル画像のデータが含まれている。
【００９５】
通常、このような受付端末機の中には、上記のようなテンプレートやサムネイル画像等のプリント注文に不要な画像データを読み込まないように、特定のフォルダに含まれている画像データだけを読み込むようにしているものもある。このため、例えば、ユーザが自宅で作成したＣＤ−Ｒである場合には、受付端末機は画像データが保存されているフォルダを上記特定のフォルダとして認識できないため、受付端末機において画像データを読み込むことができないおそれがあった。
【００９６】
そこで、このような受付端末機において、例えば、写真プリント店において作成されたＣＤ−Ｒ等の記録メディアであるか否かを判定して、写真プリント店において作成された記録メディアである場合には従来どおり特定のフォルダに含まれる画像データのみを読み込む。一方、写真プリント店において作成された記録メディアではない場合には、受付端末機は、記録メディアに含まれる全ての画像データを読み込む。なお、上記写真プリント店において作成された画像データであるか否かを判定する方法としては、例えば、ＣＤ−Ｒを自動的に起動させるためのａｕｔｏｒｕｎ．ｉｎｆ等のファイルがＣＤ−Ｒに含まれているか否かで判定する方法が考えられる。ここで、上記ファイルが含まれている場合には、写真プリント店で作成されたＣＤ−Ｒであると判定することができる。また、例えば、ＣＤ−Ｒのボリューム名が所定の名前であるか否かで判定しても良い。この場合には、ボリューム名が所定の名前、例えば、ｑｓｓｃｄであるＣＤ−Ｒについては、写真プリント店で作成されたＣＤ−Ｒであると判定することができる。さらに、例えば、ＣＤ−Ｒ内にビューアソフトが含まれているか否かで判定しても良い。この場合には、ビューアソフトが含まれているＣＤ−Ｒについては、写真プリント店で作成されたＣＤ−Ｒであると判定することができる。
【００９７】
この場合には、受付端末機はＣＤ−Ｒ等が写真プリント店以外で作成された場合であっても、ＣＤ−Ｒ等の記録メディアに含まれる画像データを確実に受付端末機に読み込ませつつ、写真プリント店において作成されたＣＤ−Ｒ等については、サムネイル画像等の不要な画像データを読み込まずに必要な画像データだけを読み込ませることができる。
【産業上の利用可能性】
【００９８】
本発明の画像データ処理装置は、画像データを選び出す手間を大幅に省くという効果を奏することから、画像データ処理装置および画像データ処理プログラムに対して広く適用可能である。
【図面の簡単な説明】
【００９９】
【図１】本発明の一実施形態に係る写真プリント装置を示す外観図。
【図２】図１に含まれる受付端末機において形成される機能ブロックを示す図。
【図３】図１に含まれる受付端末機のモニタに表示される操作入力画面を示す図。
【図４】図１に含まれる受付端末機における画像データの選択処理を行なう際の処理の流れを示すフローチャート。
【図５】図１に含まれる受付端末機のモニタに表示される他の実施形態における管理Ｎｏ．入力画面を示す図。
【図６】図１に含まれる受付端末機の他の実施形態における画像データの選択処理を行なう際の処理の流れを示すフローチャート。
【符号の説明】
【０１００】
１      写真プリント装置
２      受付端末機（画像データ処理装置）
３      プリンタ
４      ボックス
１１      モニタ（表示部）
１２      メディアリーダ
１３      赤外線受光部
１４      ＣＤドライブ
１５      ＦＤドライブ
２０      記憶部
２１      ＧＵＩ部
２２      判定部
２３      選択部
２４      プリントデータ生成部
１００    操作入力画面
１０１    画像表示エリア
１０２    ページＮｏ．表示枠
１０３    プリント枚数表示枠
１０４    プリントサイズ表示枠
１０５    Ｏ．Ｋ．ボタン
１０６    選択ボックス
１１０    管理Ｎｏ．入力画面
１１１    管理Ｎｏ．表示エリア
１１２    入力キー
１１３    Ｏ．Ｋ．ボタン
Ｓ        ステップ
【図１】
2008027152.tif 000003
【図２】
2008027152.tif 000004
【図３】
2008027152.tif 000005
【図４】
2008027152.tif 000006
【図５】
2008027152.tif 000007
【図６】
2008027152.tif 000008